(57)【特許請求の範囲】
【請求項１】
装置における使用のためのスピーカユニットであって、前記スピーカユニットは、
連続したスペースを取囲む複数の壁を持つハウジングを有し、これ等の壁の第１の壁は前記連続したスペースに向かって突出し室を形成する突出部分を持ち、前記突出部分は前記連続したスペースへの開口部を有し、前記突出部分は前記連続したスペースと反対側のその外側面において前記第１の壁に平行に延在する取付面を呈し、前記取付面は前記室内且つ前記開口部のまわりにあり、
前記スピーカユニットは更に、
前記の取付面上に、前記スペースの外側にあって前記開口部をふさぐように取付けられたスピーカを有し、
前記取付面は前記複数の壁の第２の壁に隣接し、前記第２の壁は前記第１の壁に隣接し、前記室は、前記スピーカの少なくとも実質部分が前記室内にあるような寸法にされたことを特徴とするスピーカユニット。
【請求項２】
前記取付面は前記ハウジングの第３の壁と隣接し、この第３の壁は、前記第１の壁及び前記第２の壁と隣接することを特徴とする請求の範囲１記載のスピーカユニット。
【請求項３】
前記第１の壁に垂直な方向の前記室の寸法は、この方向の前記スピーカの寸法と一致することを特徴とする請求の範囲１又は２に記載のスピーカユニット。
【請求項４】
請求の範囲１乃至３の何れか１つに記載のスピーカユニットを備えた装置。
【請求項５】
前記装置はテレビジョン受像機又はモニターである、請求の範囲４に記載の装置。
【発明の詳細な説明】
本発明は、連続したスペースを取囲む壁を有し、これ等の壁の第１の壁は開口部を有し且つスペースと反対側のその外側面において前記の開口部のまわりに取付面を有するハウジングと、前記の取付面上に、スペースの外側にあって開口部をふさぐように取付けられたスピーカとを有するスピーカユニットを有する装置に関するものである。
このような装置は、欧州特許出願明細書第0,342,117号（ＥＰ−Ａ−0,342,117）より既知である。この既知の装置は、テレビジョン受像機のキャビネット内に配設されたスピーカを有するテレビジョン受像機である。スピーカユニットはハウジングとスピーカを有し、スピーカは、ハウジングの平らな壁の外面上に、該スピーカがこの壁より完全に突出するように取付けられる。
本発明の目的は、冒頭に記載したタイプの装置を、低周波音の再生を強めるように改良することにある。
この目的を達成するために、本発明は、取付面が、スペースに向かって突出する第１の壁の突出部分で形成された室内にあり、この室は、スピーカの少なくとも実質部分が室内にあるような寸法にされたことを特徴とするものである。この対策によって、装置の内部のスピーカは、スピーカユニットのハウジングで取囲まれたスペースの容積を最大限にするように利用される。容積を最大にすることは、改良された低周波音再生を与える。
本発明の一実施態様は、第１の壁に垂直な方向の室の寸法が、この方向のスピーカの寸法と一致することを特徴とする。この方策の結果、ハウジングの室は、スピーカを入れるだけ十分に深く、このため第１の壁は装置内の平らな壁と隣接することができる。
本発明の別の実施態様は、取付面がハウジングの第２の壁と隣接し、この第２の壁は、第１の壁と隣接することを特徴とする。この方策によれば、配線の目的でスピーカにより近づき易くなる。更に、この方策は、スピーカが室の中にあるため起こることのある音響共鳴を減少する。この共鳴は、放射された音の所謂カラーレーション（coloration）を生じるので迷惑である。
本発明の更に別の実施態様は、取付面がハウジングの第３の壁と隣接し、この第３の壁は、第１の壁及び第２の壁と隣接することを特徴とする。この方策は、室の中の音響共鳴及びその結果としての音のカラーレーションを有効に排除する。
本発明を図面を参照して実施例で更に詳しく説明する。
第１図は本発明の装置の一実施例を示す断面図、
第２図は低周波再生に適した既知のスピーカユニットの斜視図、
第３図は本発明の装置に対するスピーカユニットの一実施例の斜視図、
第４図は本発明の装置に対するスピーカユニットの別の実施例の斜視図、
第５図は本発明の装置に対するスピーカユニットの更に別の実施例の斜視図である。
これ等の実施例は略図的に示されたもので、図面は必ずしも同じでない任意の寸法比で示されたものであることに留意され度い。
第１図はこの場合にはテレビジョン受像機１である本発明の装置を示す。テレビジョン受像機１は、キャビネット３、受像管５、電子回路７及びスピーカユニット１０を有する。スピーカユニット１０は完全にキャビネット３内に入れられ、その音をテレビジョン受像機１の内部に放射する。キャビネット３は開口部９を有し、この開口部を通って音がキャビネットより出ることができる。スピーカユニット１０は低周波を再生するように適合されている。この低周波に対して、スピーカユニット１０は点源としてふるまう。このことは、音が開口部を経てすべての方向に容易に伝搬することを意味する。したがって、スピーカユニット１０がキャビネット３内におかれていることは問題ではない。
第２図は、スピーカ３０とハウジング１１を有する既知のスピーカユニット１０を示す。ハウジング１１は、スペース１７を取囲む複数の壁２０，２８及び２９を有する。第１の壁２０は開口部２５を有し、その内壁の開口部のまわりに、スピーカ３０が取付けられる取付面（図示せず）を有する。スピーカ３０は、完全にスペース１７内に位置されるように配設される。スピーカユニット１０は、低周波再生の改良のための所謂バスレフ穴（bass reflex port）として役立つ穴１５を有する。スピーカ３０は、スペース１７内にある電気接続端子３１を有する。スピーカ３０は、端子３１に接続された配線３３によって駆動される。その結果、配線はその一部をスペース１７内から導通孔１８を通って導出されねばならない。配線３３をこのように取付けるのは骨が折れる。その上、導通孔１８は、擦歯音（hissing）を無くすために完全にシールされねばならない。この擦歯音は、スピーカ３０の動作時に空気が導通孔１８を通って高速で押送されることによって発生する。
第３図は本発明のスピーカユニット１０の一実施例を示す。この実施例では、スピーカ３０は該スピーカがスペース１７の外側にあるように、第１の壁２０の外側２０ａにおいて取付面２３上に取付られる。取付面２３は、スペース１７の方に向けられた第１の壁２０の突出部分で形成された室２１内にある。この室２１は、スピーカ３０の少なくとも実質部分が室２１内にあるような寸法にされる。好ましくは、第１の壁２０に垂直な方向の室の寸法ｈがこの方向のスピーカの寸法と一致する。この結果、室２１はスピーカ３０を完全に収納するのに丁度十分な大きさを有する。このことは、スピーカユニット１０をテレビジョン受像機のキャビネット３の平坦な壁に配置することを可能にし、このためキャビネット３の内側のスペースは、低周波音再生を強めるスペース１７の最大容積を得るために最適の程度に利用することができる。スピーカ３０をスペース１７の外側に取付けることは、配線をハウジング１１の壁を貫通して導く必要がないという利点を有する。別の利点は、スピーカ３０をハウジングから簡単に離すことができるということである。このことは、スピーカユニット１０がその有効寿命後に廃棄物として処置されるべき時に、異なる材料を容易に分けることができるために特に重要である。
第４図は本発明のスピーカユニット１０の別の実施例を示す。この実施例では、取付面２３は第２の壁２８と隣接する。結果として、室２１は２つの側から近づくことができる。この実施例の利点は、端子３１に容易に近づくことができるので、配線３３をスピーカ３０の接続端子に一層簡単に接続することができるということである。このため、スピーカ３０の取付後、例えば完成したスピーカユニット１０がテレビジョン受像機１内に取付けられた後に接続を行うことが可能になる。
第５図は本発明のスピーカユニットの更に別の実施例を示す。この実施例では、取付面２３は第２の壁２８と第３の壁２９に隣接し、これ等の壁は互いに隣接し且つ共に第１の壁２０と隣接する。この実施例の利点は、側壁２７は互いに対面しないので、室２１は望ましくない共鳴が生じることのある音響スペースを最早や形成しないことである。このことは音のカラーレーションを排除する。この実施例では、スピーカ３０の逆にした取付が中間周波再生を減衰する。このことは、テレビジョン受像機１は中間レンジ及び高周波に対して別々のスピーカを有することが多いので有利である。その場合、スピーカユニット１０による中間周波再生が望ましくない状態でこれ等の個別のスピーカによる中間周波再生と干渉することがある。
本発明は、以上述べた実施例に限定されるものではない。本発明の要旨を逸脱しない範囲において種々の他の実施例が可能である。例えば、取付面２３を、スペース１７の容積を更に増すために、第１の壁２０に対して傾けることもできる。更に、ハウジング１１の形を装置１に利用可能なスペースに適合させることができる。更に、本発明の装置は、例えばモニターまたはオーディオ装置でもよい。
【図１】
0003737109.tif 000002
【図２】
0003737109.tif 000003
【図３】
0003737109.tif 000004
【図４】
0003737109.tif 000005
【図５】
0003737109.tif 000006